(57)【要約】      （修正有）【課題】ビス固定を可能とし、より単純な構造でありながら中空長尺建材を相互に、または中実の樹脂材や木質材と確実に安定して接合固定することができる押出樹脂成形体からなる中空長尺建材の接合構造を提供する【解決手段】（Ａ）長さ方向に中空部１が形成された中空長尺建材２と、（Ｂ）平面形状での両端部３に設けられた嵌合部４およびこの両端部３に設けられた嵌合部間の中間位置に設けられた固定具受部５を有する固定具受体６と、（Ｃ）中空または中実の被接合材７、（Ｄ）固定具８とを備え、中空長尺建材２の長さ方向に形成された中空部の端部９に、固定具受体６が挿入されて嵌合部４が嵌合し、被接合材７が、中空長尺建材の端面１０を塞ぐように配置され、被接合材７を貫通して中空長尺建材２に嵌合した固定具受体６の固定具受部５まで達する固定具８により接合固定される。【選択図】図１
2016211269.tif 000002
【特許請求の範囲】
【請求項１】
押出樹脂成形体からなる中空長尺建材と被接合材との接合構造であって、
前記接合構造は、（Ａ）長さ方向に中空部が形成された前記中空長尺建材と、（Ｂ）平面形状での両端部に設けられた嵌合部およびこの両端部に設けられた嵌合部間の中間位置に設けられた固定具受部を有する固定具受体と、（Ｃ）中空または中実の被接合材と、（Ｄ）固定具とを備え、
前記中空長尺建材の長さ方向に形成された中空部の端部に、前記固定具受体が挿入されて前記嵌合部が嵌合し、前記被接合材が、前記中空長尺建材の端面を塞ぐように配置され、前記被接合材を貫通して前記中空長尺建材に嵌合した前記固定具受体の前記固定具受部まで達する前記固定具により接合固定されることを特徴とする押出樹脂成形体からなる中空長尺建材の接合構造。
【請求項２】
前記中空長尺建材は、前記中空部の内面に、第１凹凸部を有し、
前記固定具受体は、前記嵌合部として第２凹凸部を有し、
前記第２凹凸部は前記第１凹凸部に嵌合可能とされていることを特徴とする請求項１に記載の押出樹脂成形体からなる中空長尺建材の接合構造。
【発明の詳細な説明】
【技術分野】
【０００１】
本発明は、押出樹脂成形体からなる中空長尺建材の接合構造に関する。
【背景技術】
【０００２】
従来より、住宅用のドア枠や、ドアパネル等を構成する長尺建材として押出樹脂成形体が検討されている。押出樹脂成形体は、一般に、金型の形状に応じて多様な断面形状の長尺材に加工することが可能であり、かつ、耐水性や耐久性に優れているという特徴を有している。このような、押出樹脂成形体は、中実、中空のいずれの態様も取り得るが、長尺の建材として用いる場合には、合成樹脂の使用量を減らし、コスト低減が可能であって、しかも軽量で施工現場での取り回しに優れていることから中空とされることが多い。
【０００３】
ただ、押出樹脂成形体からなる中空で長尺の建材を相互に、または中実の樹脂材や木質材に接合固定する際には、中空であるため、ビス固定やダボ固定が難しいという問題があった。そこで、中空長尺建材を確実に安定して接合固定するための方策が検討されてきている。その方策の一例として、ジョイント部材を用いることが提案されている（例えば、特許文献１参照）。
【０００４】
ジョイント部材を用いた特許文献１での接合構造では、図７に示すように、合成樹脂の中空板状材７１に、合板などの木質材７２を取り付けて中空長尺建材７３とし、その端部において、ジョイント部材７５を用いて相互に接合されている。具体的には、中空長尺建材７３の中空部７４に、ジョイント部材７５の接合用突起７６を挿入嵌合し、さらに、ジョイント部材７５に設けられたビス穴７７にビス７８を挿入し、木質材７２の端部にビス７８を螺入して締めつけて固定している。
【０００５】
しかしながら、ジョイント部材７５を用いる場合には、ジョイント部材７５そのものの構造が複雑であって、これを簡便に製造することは容易ではない。しかも、ビス７８を受けるのは中実の木質材７２であるため、中空長尺建材全体としての重量が増大してしまい、樹脂成形体としての特徴である中空長尺建材の軽量さが損なわれることになる。
【０００６】
一方、このような木質材へのビス固定という手段を用いることなく、樹脂成形体からなる中空長尺建材を相互にその端部において接合固定する構造も提案されている（特許文献２参照）。
【０００７】
特許文献２に記載されたドア枠構造では、図８に示すように中空の押出樹脂成形体である縦框材８１と横框材８２とを接合部材８３を用いて接合している。すなわち、接合部材８３に設けられた挿入部８４の貫通孔８４ａに、縦框材８１の中空部を塞ぐ蓋部材８６から立設された楔状の保持部材８７を挿入することによって、縦框材８１の中空部から接合部材８３が抜け出ることを防ぐようにしている。また、接合部材８３に設けられた外方への弾発力を有する嵌合部８５を横框材８２の中空部に挿入することによって、横框材８２の中空部から接合部材８３が抜け出ることを防ぐようにしている。
【０００８】
しかしながら、接合部材８３の構造は複雑でその製造は容易ではない。しかも、縦框材８１および横框材８２への接合部材８３の挿入、嵌合位置が予め決まっていて、施工上の位置変更の許容度が小さく、また、押出樹脂成形体の中空の縦框材８１および横框材８２の設計、製造上の寸法許容度が乏しいという問題がある。さらには、ドア構造としては、ビス固定に比べて経年使用における接合部の緩みによる強度劣化の懸念がある。
【０００９】
以上のような複雑で、製造も容易ではない構造のジョイント部材や接合部材を用いることなく、押出樹脂成形体からなる中空長尺建材そのものの形態に工夫を施してビス固定することも提案されている（特許文献３参照）。
【００１０】
この特許文献３においては、窓枠、ドア枠等に用いるビス穴を有する中空押出成形体が示されている。すなわち、図９（ａ）（ｂ）に示すように、中空長尺建材としての押出樹脂成形体９１内の内部を仕切る補強リブ９２にビス孔９３が設けられている。
【００１１】
特に、図９（ｂ）の構造では、補強リブ９２の一側面と内部が断面円形のビス孔９３となった円筒部９４の外面とが一体に連なるように沿設されている。このため、押出樹脂成形体９１は、内部が中空であるにも関わらず、ビス固定が容易であって、中空の押出樹脂成形体を相互に、または中実材や面材と確実に接合固定できるようにしている。
【先行技術文献】
【特許文献】
【００１２】
【特許文献１】特開平１０−１５２９００号公報
【特許文献２】特開２００４−３１６２０９号公報
【特許文献３】実開昭６０−１２２号公報
【発明の概要】
【発明が解決しようとする課題】
【００１３】
しかしながら、特許文献３に記載された押出樹脂成形体９１は、ビス固定を可能とするものであるが、ビス孔９３を有する円筒部９４の押出成形は必ずしも容易ではない。押出成形の特性上、押出樹脂成形体９１の長手方向の全長にわたって凸条に形成される押出樹脂成形体９１の端部以外においては不要な構造となる。このため、製造コストの低減も難しい。
【００１４】
また、ビス孔９３の位置は、補強リブ９２の位置に決められているため、ビス固定のための施工上の位置選択の許容度が小さいという問題も残されていた。
【００１５】
本発明は、以上のとおりの事情に鑑みてなされたものであり、ビス固定を可能とし、より単純な構造でありながら中空長尺建材を相互に、または中実の樹脂材や木質材と確実に安定して接合固定することができる押出樹脂成形体からなる中空長尺建材の接合構造を提供することを課題としている。また、本発明は、接合固定に用いるビスやダボ等の施工上の位置選択の許容度、自由度が大きく、中空長尺建材の生産性を向上させ、コスト低減を図ることができる押出樹脂成形体からなる中空長尺建材の接合構造を提供することを課題としている。
【課題を解決するための手段】
【００１６】
上記の課題を解決するために、本発明の押出樹脂成形体からなる中空長尺建材の接合構造は、押出樹脂成形体からなる中空長尺建材と被接合材との接合構造であって、前記接合構造は、（Ａ）長さ方向に中空部が形成された前記中空長尺建材と、（Ｂ）平面形状での両端部に設けられた嵌合部およびこの両端部に設けられた嵌合部間の中間位置に設けられた固定具受部を有する固定具受体と、（Ｃ）中空または中実の被接合材と、（Ｄ）固定具とを備え、前記中空長尺建材の長さ方向に形成された中空部の端部に、前記固定具受体が挿入されて前記嵌合部が嵌合し、前記被接合材が、前記中空長尺建材の端面を塞ぐように配置され、前記被接合材を貫通して前記中空長尺建材に嵌合した前記固定具受体の前記固定具受部まで達する前記固定具により接合固定されることを特徴とする。
【発明の効果】
【００１７】
本発明の押出樹脂成形体からなる中空長尺建材の接合構造によれば、ビス固定を可能とし、固定位置の選択許容度を高め、より単純な構造でありながら中空長尺建材を相互に、または中実の樹脂材や木質材と確実に安定して接合固定することができる。しかも、本発明の押出樹脂成形体からなる中空長尺建材の接合構造によれば、接合固定に用いるビスやダボ等の施工上の位置選択の許容度、自由度が大きく、中空長尺建材の生産性を向上させ、コスト低減を図ることができる。
【図面の簡単な説明】
【００１８】
【図１】本発明の押出樹脂成形体からなる中空長尺建材の接合構造の一実施形態を示した分解斜視図である。
【図２】本発明の押出樹脂成形体からなる中空長尺建材の接合構造の一実施形態における中空長尺建材の端面および固定具受体の概略断面図である。
【図３】本発明の押出樹脂成形体からなる中空長尺建材の接合構造の別の一実施形態における中空長尺建材の端面および固定具受体の概略断面図である。
【図４】（ａ）は、本発明の押出樹脂成形体からなる中空長尺建材の接合構造の固定具受体の一実施形態を示す平面図である。（ｂ）は、（ａ）のＡ−Ａ’断面図である。
【図５】（ａ）は、本発明の押出樹脂成形体からなる中空長尺建材の接合構造の固定具受体の別の一実施形態を示す平面図である。（ｂ）は、（ａ）のＢ−Ｂ’断面図である。
【図６】（ａ）は、本発明の押出樹脂成形体からなる中空長尺建材の接合構造の固定具受体の別の一実施形態を示す平面図である。（ｂ）は、（ａ）のＣ−Ｃ’断面図である。
【図７】従来のジョイント部材を用いた中空長尺建材の接合構造を示す分解斜視図である。
【図８】従来の中空の押出樹脂成形体を用いたパネル構造を有するドア構造を示す分解斜視図である。
【図９】（ａ）、（ｂ）は、従来の中空長尺建材としての押出樹脂成形体を示した概略断面図である。
【発明を実施するための形態】
【００１９】
図１は、本発明の押出樹脂成形体からなる中空長尺建材の接合構造の一実施形態を示した分解斜視図である。図２、３は、それぞれ、本発明の押出樹脂成形体からなる中空長尺建材の接合構造の一実施形態における中空長尺建材の端面および固定具受体の概略断面図である。
【００２０】
例えば、図１で示したように、この接合構造では、（Ａ）長さ方向に中空部１が形成された中空長尺建材２と、（Ｂ）平面形状での両端部３に設けられた嵌合部４および両端部３に設けられた嵌合部４間の中間位置に設けられた固定具受部５を有する固定具受体６と、（Ｃ）中空または中実の被接合材７と、（Ｄ）固定具８とを備えている。この接合構造では、中空長尺建材２の長さ方向に形成された中空部１の端部９の内面１３に、固定具受体６が挿入されて嵌合部３が嵌合する。そして、被接合材７が、中空長尺建材２の端面１０を塞ぐように配置される。被接合材７を貫通して中空長尺建材２に嵌合した固定具受体６の固定具受部５まで達する固定具８により被接合材７が中空長尺建材２に接合固定される。
【００２１】
また、この接合構造においては、中空長尺建材２は、中空部１の内面１３に、第１凹凸部１４ａを有し、固定具受体６は、嵌合部４として第２凹凸部１４ｂを有し、第２凹凸部１４ｂは第１凹凸部１４ａに嵌合可能とされていることが好ましい。
【００２２】
なお、図１においては、本発明の接合構造を利用した構造物として、ドア枠等の枠体１１を図示している。枠体１１は、中空長尺建材２が被接合部材７の長さ方向の両端のそれぞれにおいて接合されることで構成されている。
【００２３】
中空長尺建材２は、押出樹脂成形体からなる。この押出樹脂成形体の原料となる樹脂は、押出樹脂成形体の原料として通常用いられている樹脂であればその種類は特に限定されない。例えば、ポリエチレンやポリプロピレン等のオレフィン系樹脂、ポリスチレン、ポリエチレンテレフタラート、アクリル樹脂、ポリメタクリル酸メチル（ＰＭＭＡ）、アクリロニトリルブタジエンスチレン（ＡＢＳ）樹脂等の熱可塑性樹脂が例示される。これらの熱可塑性樹脂は、単独または２種以上を併用したものでもよい。また、熱可塑性樹脂は、廃プラスチックや再生プラスチックであってもよい。
【００２４】
中空長尺建材２の原料となる前記樹脂組成物としては、例えば前記のような熱可塑性樹脂に木粉を配合し、混練して押出成形することによって得られる、ウッドプラスチック複合材（Wood Plastic Composite, WPC）を用いることもできる。このウッドプラスチック複合材は、木質感などの天然の風合いを備え、かつ軽量で取り扱い易いことから、例えば、建物の床材、ドアパネル、家具、屋外用ベンチなどに広く利用されている。
【００２５】
木粉としては、ウッドプラスチック複合材に通常用いられる木粉であれば、その種類は特に限定されないが、ウッドプラスチック複合材の強度や耐久性などの基本性能を考慮した場合、木片を粉砕して得られる微細粉や製材時に生じるおが屑などを好適なものとして利用することができる。木片を粉砕して得られる微細粉は、製材時の端材などを粉砕することによって得られるため、前記ウッドプラスチック複合材の製造コストの低減が図られる。また、製材時に生じるおが屑は、その大部分が産業廃棄物として処分されているため、廃材の利用という観点からも好ましいものの一つである。
【００２６】
このような木粉としては、例えば、間伐材や建築解体材を主とするものが例示される。前記間伐材としては、例えば、マツ、スギ、ヒノキなどの針葉樹、またはラワン、カポール、ポプラなどの広葉樹が例示される。また、前記建築解体材としては、例えば、木質合板、パーティクルボード、中密度繊維板（Medium Density Fiberboard, MDF）、配向性ストランドボード（Oriented Standard Board, OSB）などの木質ボードの廃材などが例示される。さらに、前記木粉としては、竹や籾殻などの農産廃棄物を切断、粉砕したものを適宜使用することもできる。このような木粉は、単独または２種以上を併用したものが例示される。また、木粉には適度な水分が含まれていてもよい。このような木粉を用いることによって、自然な風合いを備え、木質感に優れた中空長尺建材２が実現される。
【００２７】
このようにして得られた前記木粉と前記熱可塑性樹脂との組成物は、中空長尺建材２の製造コストの低減を図る上でも好ましいものとして考慮される。
【００２８】
固定具受体６は、上記のとおり、平面形状での両端部３に設けられた嵌合部４および両端部３に設けられた嵌合部４間の中間位置に設けられた固定具受部５を有する構造であって、嵌合部４は、中空長尺建材２の中空部１の端部９の内面１３と嵌合可能とされている。この嵌合によって、中空で長尺の建材であってもビス固定が可能とされている。
【００２９】
中空長尺建材２と固定具受体６との嵌合は、様々な形態として可能とされる。嵌合における摩擦強度を高めるための手段としては、接触面積を大きくすることや、接触にともなう弾発力を高めることがまず考慮される。例えば、嵌合の形態として好適な例の一つが図１〜３の実施形態として示される。すなわち、図１〜３に示したように、中空長尺建材２は、中空部１の内面１３に、第１凹凸部１４ａを有している。一方、固定具受体６の両端部３には、中空長尺建材２の第１凹凸部１４ａと対応する形状の第２凹凸部１４ｂを有している。固定具受体６の第２凹凸部１４ｂは、中空長尺建材２の第１凹凸部１４ａの任意の位置に嵌合可能とされている。このような第１凹凸部１４ａと第２凹凸部１４ｂとによる嵌合は、中空長尺建材２の内面１３と固定具受体６の両端部３との接触面積を増大させることによって、嵌合力を高め、固定具８による中空長尺建材２と被接合材７との確実な接合固定を可能とする。
【００３０】
第１凹凸部１４ａは、中空長尺建材２の押出成形と同時に形成される。第１凹凸部１４ａは、成形性の観点から、中空長尺建材２の端部９のみならず中空長尺建材２の長手方向の全長に渡って凹凸条として形成されている。このような第１凹凸部１４ａは、図７に示した従来のビス孔を有する円筒部７４の場合に比べてはるかに押出成形が容易であって、生産コストも低く抑えることができる。また、第１凹凸部１４ａは、固定具受体６がする中空長尺建材２の端部９以外の部分においては、補強用のリブとしても機能する。
【００３１】
図１、２に示すように、第１凹凸部１４ａは、中空長尺建材２の中空部１の内面１３において、対向する一対の面に形成されているものとすることができる。この場合、図１、２に示すように、中空部１の内面１３の鉛直上下方向に配置されていてもよいし、図３に示すように、中空部１の内面１３の水平方向に配置されていてもよい。
【００３２】
あるいは、図２と図３の両形態を一体として備えたものとして内面１３の全ての面に第１凹凸部１４ａが配設された物としてもよい。
【００３３】
中空長尺建材２の端部９に嵌合する固定具受体６では、図４（ａ）（ｂ）に示すように両端部３に中空長尺建材２の第１凹凸部１４ａと嵌合する第２凹凸部１４ｂを有するとともに、両端部３の第２凹凸部１４ｂの間に固定具受部５が設けられている。固定具受体６は、中空長尺建材２の第１凹凸部１４ａの対向辺間を架け渡すように嵌合する。
【００３４】
固定具受体６の両端部３における第２凹凸部１４ｂの設置の向きは、中空長尺建材２の第１凹凸部１４ａと嵌合する限りにおいて、適宜に変更可能である。
【００３５】
固定具受体６の形状は、図４（ａ）（ｂ）に示すように平板状であってもよいし、図５（ａ）（ｂ）に示すように固定具受部５が、固定具受体６の表面から突設していてもよい。また、図６（ａ）（ｂ）に示すように、固定具受体６は、円柱状の固定具受部５の側面部から嵌合部４を有する平板状の端部３が突設する形状であってもよい。いずれの場合も、固定具受部５は、固定具受体６の表面から一方にのみ突設していてもよいし、固定具受体６の表裏面の両方から突設していてもよい。
【００３６】
固定具受体６は、中空長尺建材２の中空部１の端部９の対向する一対の辺間のさし渡し長さと同一またはそれ以上であれば、固定具受体６の嵌合固定に必要な嵌合力を得ることができる。
【００３７】
また、固定具受体６は、その厚み方向で、両端部３でテーパーをつけた状態になっていてもよい。このようなテーパー状の両端部３を備える固定具受体６を、中空長尺建材２の中空部１の端部９に挿入して嵌合することにより、かしめ効果が得られ、固定具受体６が中空長尺建材２の中空部１の長さ方向の奥まで入り込んでしまうことを防ぐことができる。しかも、固定具受体６を中空長尺建材２の端部９に確実に固定することが可能となる。
【００３８】
固定具受体６の厚みＴは、固定具８の長さに応じて適宜変更可能であるが、例えば１ｃｍ程度であっても接合強度を確保することができる。
【００３９】
固定具受部５には固定具受孔１２が設けられていてもよいし、固定具受孔１２のない構造であってもよい。固定具８は各種であってよく、ダボである場合には固定具受孔１２が必須であり、固定具８がネジや釘の場合には固定具受孔１２は必ずしも必要ではない。
【００４０】
このような固定具受体６は、中空長尺建材２と同様に、熱可塑性樹脂の成形体であってもよいし、熱可塑性樹脂に木粉を配合し、混練して成形したものであってもよい。固定具受体６が、熱可塑性樹脂に木粉を配合し、混練して成形したものである場合、吸湿膨張性または熱膨張性を備えている。このため、中空長尺建材２の端部１１に固定具受体６を嵌合した後、固定具受体６に水を滴下したり加熱することによって、固定具受体６の膨張を促すことができる。このように、固定具受体６を膨張させることによって、さらにかしめ効果を高めることも可能である。なお、固定具受体６と中空部１の内面１３との間に接着剤を供給して接着することによって、さらに固定強度を高めることも可能である。
【００４１】
また、固定具受体６が熱可塑性樹脂を含有する成形体である場合、固定具受体６は、ある程度の弾発性を備えているため、中空長尺建材２の中空部１の断面形状と必ずしも対応する形状でなくとも、中空部１の端部９の対向する一辺間に架け渡すように嵌合させることが可能である。すなわち、固定具受体６と中空長尺建材２との嵌合力が十分でありさえすれば、固定具受体６の両端部３は、末端平滑な板状であってもよいし、円弧状や凹凸状であってもよい。
【００４２】
このような固定具受体６を嵌合させた中空長尺建材２と被接合材７を用いて、例えば図１のように枠体１１等を構成することができる。図１では、枠体１１を構成する被接合材７には、中空長尺建材２の中空部１と対向する面を貫通するように固定具挿入孔１５が設けられている。被接合材７は、中実の構造であってもよいし、中空の構造であってもよい。枠体２の軽量化や製造コストの低減を考慮すると、被接合材７も中空長尺建材２と同様の中空構造とすることも考慮される。この場合、被接合材７の中空部１の内面１３にも第１凹凸部１４ａを形成し、第２凹凸部１４ｂを備えた固定具受体６を、固定具受体６の厚さ方向が被接合材７の板厚方向と一致する向きに配置し、第１凹凸部１４ａと第２凹凸部１４ｂを嵌合させることが好ましく考慮される。
【００４３】
本発明の接合構造では、被接合材７の固定具挿入孔１５の位置が、被接合材７ごとに異なり、固定具８を挿入する位置を変更する必要性が生じた場合であっても、中空長尺建材２の金型を設計変更することなく、被接合材７の固定具挿入孔１５に対応した位置に固定具受体６を取り付けることができる。このため、本発明の接合構造は、従来の接合構造と比較して、接合固定に用いるビスやダボ等の固定具８を挿入する固定具受部５および固定具受孔１２の位置選択の許容度、自由度が大きい。
【００４４】
また、この接合構造では、固定具挿入孔１５および固定具受孔１２にビスやダボなどの固定具８を挿入して締結するだけで枠体１１などの構造体を組み上げることができるため、施工性に優れており、中空長尺建材２を含む枠体１１を確実に接合固定することができる。
【００４５】
上記のとおりの押出樹脂成形体からなる中空長尺建材２の接合構造は、中空長尺建材２を用いて枠体１１を形成する際に、接合強度を簡便に向上させることができ、しかも必要な箇所にのみ固定具受体６を取り付けることにより、中空長尺建材２を製造する際の生産性を向上させ、コストを低減させることができる。そして、ドアパネルを設置するために壁面開口部に設けられたドア枠や、開き戸、引き戸などのドアパネルを構成する枠体は、押出樹脂成形体からなる中空長尺建材２を接合して得られた枠体１１であるパネル構造を基材として有して形成される。たとえば、パネル構造の表面に取っ手を取り付けるなどしてドアパネルが形成される。
【符号の説明】
【００４６】
１  中空部
２  中空長尺建材
３  両端部
４  嵌合部
５  固定具受部
６  固定具受体
７  被接合材
８  固定具
９  端部
１０  端面
１１  枠体
１２  固定具受孔
１３  内面
１４ａ  第１凹凸部
１４ｂ  第２凹凸部
１５  固定具挿入孔
【図１】
2016211269.tif 000003
【図２】
2016211269.tif 000004
【図３】
2016211269.tif 000005
【図４】
2016211269.tif 000006
【図５】
2016211269.tif 000007
【図６】
2016211269.tif 000008
【図７】
2016211269.tif 000009
【図８】
2016211269.tif 000010
【図９】
2016211269.tif 000011